【手続補正書】
【提出日】平成30年3月8日(2018.3.8)
【手続補正１】
【補正対象書類名】明細書
【補正対象項目名】００１２
【補正方法】変更
【補正の内容】
【００１２】
【図１】フルイディクス型流体定量サブシステムを含む本発明に従う注入ポンプの概  略全体図である。
【図２】流体定量サブシステムの分解組立図である。
【図３】本発明の例示の第１の実施例に従い組み立てられた注入ポンプの図である。
【図４】組み立てられた流体定量システムの斜視図である。
【図５】図４における組み立てられた流体定量システムの側面の断面図である。
【図６Ａ】ポンプサイクル開始前の初期状態で図４における組み立てられた流体定量  システムを示す上面図である。
【図６Ｂ】図６Ａにおける初期状態の組み立てられた流体定量システムの側面の断面  図である。
【図７Ａ】ポンプサイクルの吸入行程中で図４における組み立てられた流体定量シス  テムを示す上面図である。
【図７Ｂ】図７Ａにおける状態で組み立てられた流体定量システムの側面の断面図で  ある。
【図８Ａ】ポンプサイクルの弁状態変化中で図４における組み立てられた流体定量シ  ステムを示す上面図である。
【図８Ｂ】図８Ａにおける状態で組み立てられた流体定量システムの側面の断面図で  ある。
【図９Ａ】ポンプ容量が完全に増大した状態で図４における組み立てられた流体定量  システムを示す上面図である。
【図９Ｂ】図９Ａにおける状態で組み立てられた流体定量システムの側面の断面図で  ある。
【図１０Ａ】ポンプサイクルの排出行程中で図４における組み立てられた流体定量シ  ステムを示す上面図である。
【図１０Ｂ】図１０Ａにおける状態で組み立てられた流体定量システムを示す側面の  断面図である。
【図１１Ａ】ポンプサイクルの排出行程後に、ポンプ容量が完全に落ち、弁が変化し  ている状態で図４における組み立てられた流体定量システムの上面図である。
【図１１Ｂ】図１１Ａにおける状態で組み立てられた流体定量システムの側面の断面  図である。
【図１２Ａ】サイクルの開始点に戻された機構を示す図である。
【図１２Ｂ】図１２Ａに対応する断面図である。
【図１３】本発明の例示の第２の実施例に従う流体定量サブシステムの分解組立図で  ある。
【図１３Ａ】図１３における実施例に従う流体定量サブシステムの組立図である。
【図１４】ポンプサイクル開始前における図１３の流体定量システムの側面の断面図  である。
【図１５】図１３における実施例に従う流体定量システムのポンプサイクルの段階を  描写する図である。
【図１６】図１３における実施例に従う流体定量システムのポンプサイクルの段階を  描写する図である。
【図１７】図１３における実施例に従う流体定量システムのポンプサイクルの段階を  描写する図である。
【図１８】図１３における実施例に従う流体定量システムのポンプサイクルの段階を  描写する図である。
【図１９】図１３における実施例に従う流体定量システムのポンプサイクルの段階を  描写する図である。
【図２０】図１３における実施例に従う流体定量システムのポンプサイクルの段階を  描写する図である。
【図２１】本発明の例示の第３の実施例に従う流体定量サブシステムの分解組立図で  ある。
【図２２】図２１における実施例の組立図である。
【図２３】図２１における実施例の側面の断面図である。
【図２４Ａ】本発明の実施例に従うポンプサイクルの開始位置を描写する図である。
【図２４Ｂ】図２４Ａに対応する断面図である。
【図２５Ａ】図２１における実施例に従う流体定量システムのポンプサイクルの段階  を描写する図である。
【図２５Ｂ】図２１の実施例に従う流体定量システムのポンプサイクルの段階を描写  する図である。
【図２６Ａ】図２１の実施例に従う流体定量システムのポンプサイクルの段階を描写  する図である。
【図２６Ｂ】図２１の実施例に従う流体定量システムのポンプサイクルの段階を描写  する図である。
【図２７Ａ】図２１の実施例に従う流体定量システムのポンプサイクルの段階を描写  する図である。
【図２７Ｂ】図２１の実施例に従う流体定量システムのポンプサイクルの段階を描写  する図である。
【図２８Ａ】図２１の実施例に従う流体定量システムのポンプサイクルの段階を描写  する図である。
【図２８Ｂ】図２１の実施例に従う流体定量システムのポンプサイクルの段階を描写  する図である。
【図２９Ａ】図２１の実施例に従う流体定量システムのポンプサイクルの段階を描写  する図である。
【図２９Ｂ】図２１の実施例に従う流体定量システムのポンプサイクルの段階を描写  する図である。
【図３０】本発明の例示の第４の実施例に従う流体定量サブシステムの分解組立図で  ある。
【図３１】図３０における組み立てられた実施例を描写する図である。
【図３２】図３０における実施例の側面の断面図である。
【図３３Ａ】図３０における実施例に従う流体定量システムのポンプサイクルの段階を描写する図である。
【図３３Ｂ】図３０における実施例に従う流体定量システムのポンプサイクルの段階を描写する図である。
【図３４Ａ】図３０における実施例に従う流体定量システムのポンプサイクルの段階を描写する図である。
【図３４Ｂ】図３０における実施例に従う流体定量システムのポンプサイクルの段階を描写する図である。
【図３５Ａ】図３０における実施例に従う流体定量システムのポンプサイクルの段階を描写する図である。
【図３５Ｂ】図３０における実施例に従う流体定量システムのポンプサイクルの段階を描写する図である。
【図３６Ａ】図３０における実施例に従う流体定量システムのポンプサイクルの段階を描写する図である。
【図３６Ｂ】図３０における実施例に従う流体定量システムのポンプサイクルの段階を描写する図である。
【図３７Ａ】図３０における実施例に従う流体定量システムのポンプサイクルの段階を描写する図である。
【図３７Ｂ】図３０における実施例に従う流体定量システムのポンプサイクルの段階を描写する図である。
【図３８Ａ】図３０における実施例に従う流体定量システムのポンプサイクルの段階を描写する図である。
【図３８Ｂ】図３０における実施例に従う流体定量システムのポンプサイクルの段階を描写する図である。
【図３９Ａ】図３０における実施例に従う流体定量システムのポンプサイクルの段階を描写する図である。
【図３９Ｂ】図３０における実施例に従う流体定量システムのポンプサイクルの段階を描写する図である。
【図４０】本発明の例示の第５の実施例に従う流体定量サブシステムの分解組立図である。
【図４１】図４０における実施例に従い組み立てられた流体定量システムの断面図である。
【図４２Ａ】図４０における実施例に従う流体定量システムのポンプサイクルの段階を描写する図である。
【図４２Ｂ】図４０における実施例に従う流体定量システムのポンプサイクルの段階を描写する図である。
【図４３Ａ】図４０における実施例に従う流体定量システムのポンプサイクルの段階を描写する図である。
【図４３Ｂ】図４０における実施例に従う流体定量システムのポンプサイクルの段階を描写する図である。
【図４４Ａ】図４０における実施例に従う流体定量システムのポンプサイクルの段階を描写する図である。
【図４４Ｂ】図４０における実施例に従う流体定量システムのポンプサイクルの段階を描写する図である。
【図４５Ａ】図４０における実施例に従う流体定量システムのポンプサイクルの段階を描写する図である。
【図４５Ｂ】図４０における実施例に従う流体定量システムのポンプサイクルの段階を描写する図である。
【図４６Ａ】図４０における実施例に従う流体定量システムのポンプサイクルの段階を描写する図である。
【図４６Ｂ】図４０における実施例に従う流体定量システムのポンプサイクルの段階を描写する図である。
【図４７Ａ】図４０における実施例に従う流体定量システムのポンプサイクルの段階を描写する図である。
【図４７Ｂ】図４０における実施例に従う流体定量システムのポンプサイクルの段階を描写する図である。